(57)【要約】【課題】簡素な構造で安価に網戸の使用者の意図しない移動を規制し、網戸の外れを防止する。【解決手段】網戸１１の移動規制構造において、サッシ枠１５と、サッシ枠１５と対向配置される網戸１１の上框２５、又は上框２５に装着された外れ止めとに、高摩擦係数材３９を取り付けた。より具体的には、サッシ枠１５が、サッシ上枠１７から垂下した網戸用上部レールを有し、外れ止めが、網戸用上部レールを屋内側及び屋外側から挟み込む挟み込み部を有して網戸１１の上框２５に装着され、上部レールと挟み込み部のそれぞれの対向面に、高摩擦係数材３９が取り付けられる。網戸１１に設けられる網戸側高摩擦係数材３９ａは、網戸上下框の長手方向両端である四隅に配置され、サッシ枠１５に取り付けられるサッシ枠側高摩擦係数材３９ｂは、サッシ枠開口４３のいずれか一方の端に移動された網戸１１の網戸側高摩擦係数材３９ａに対向する位置に設けられる。【選択図】図１
2010163810.tif 000002
【特許請求の範囲】
【請求項１】
サッシ枠と、該サッシ枠と対向配置される戸体の框、又は該框に装着された摺動部品とに、高摩擦係数材が取り付けられたことを特徴とする戸体の移動規制構造。
【請求項２】
請求項１記載の戸体の移動規制構造であって、
前記サッシ枠が、サッシ上枠から垂下した上部レールを有し、
前記摺動部品は、前記上部レールを屋内側及び屋外側から挟み込む挟み込み部を有して前記戸体の上框に装着され、
前記上部レールと前記挟み込み部のそれぞれの対向面に、前記高摩擦係数材が取り付けられたことを特徴とする戸体の移動規制構造。
【請求項３】
請求項１又は請求項２記載の戸体の移動規制構造であって、
前記戸体に設けられる戸体側高摩擦係数材が、戸体上下框の長手方向両端である四隅のうち少なくとも１箇所に配置され、
前記サッシ枠に取り付けられるサッシ枠側高摩擦係数材が、サッシ枠開口の少なくともいずれか一方の端に移動された前記戸体の前記戸体側高摩擦係数材に対向する位置に設けられたことを特徴とする戸体の移動規制構造。
【請求項４】
請求項１〜請求項３のいずれか１項記載の戸体の移動規制構造であって、
前記高摩擦係数材は、植毛摩擦材によって形成されることを特徴とする戸体の移動規制構造。
【発明の詳細な説明】
【技術分野】
【０００１】
本発明は、サッシ網戸や軽量引戸など戸体の使用者の意図しない移動を規制し、戸体の外れを防止する戸体の移動規制構造に関する。
【背景技術】
【０００２】
例えば、引き違いガラス障子を開閉自在に取り付けたサッシには、障子よりも外側のレールに防虫用としての網戸が設けられることがある。網戸はガラス障子のように常時使用するものではなく夏期などの虫が侵入し易い時期のみに使用するものであるため安価で且つ取外しが簡便なように軽量となっている。このため、網戸がガラス障子の開閉に伴い一緒に移動してしまったり、台風時などは強風により網戸が自然に移動してしまうという、使用者の意図しない移動が起きることがある。このような事情から、例えば特許文献１には、摺動抵抗が低いモヘア（虫除け材）を使用して、ガラス障子の開閉に伴う網戸の移動を規制する技術が開示されている。
【０００３】
また、網戸は、上框の上面が、サッシ上枠から垂下された網戸用上部レール下端との間に所定寸法の隙間がある。この隙間が存在することで網戸をけんどん式に着脱できるのであるが、網戸外れを防止するために外れ止めを設ける必要がある。このような事情から、スライダーや外れ止めアームを用いたり（特許文献２参照）、外れ止め部材や揺動アームを用いたりして（特許文献３参照）、機構的に網戸の外れを防止するものも提案されている。
【先行技術文献】
【特許文献】
【０００４】
【特許文献１】特開２００７−２６２８１２号公報
【特許文献２】特開２００７−５１５１１号公報
【特許文献３】特開２００７−１８２６７３号公報
【発明の概要】
【発明が解決しようとする課題】
【０００５】
しかしながら、特許文献１の技術は、モヘアとガラス障子の接触面積を小さくすることでガラス障子の開閉に伴う網戸の移動は規制できるが、強風による移動を規制できるものではない。また、特許文献２，３の技術は、多数の部品を使用しなければならず、構造も複雑であり、コストが高くなるとともに、調整に手間を要する問題があった。そして、上記いずれの技術も各々の課題に着眼したものであり、異なる課題（ガラス障子の開閉に伴う移動、強風による移動、網戸外れ）を同時に解決するものではない。
このため、ガラス障子の開閉に伴う移動や、強風による移動を規制し、結果的に網戸外れが防止できる簡素な網戸移動規制構造の開発要請があった。
本発明は上記状況に鑑みてなされたもので、簡素な構造で安価に網戸などの戸体の移動が規制できる戸体の移動規制構造を提供し、もって、戸体の外れ防止を図ることを目的とする。
【課題を解決するための手段】
【０００６】
本発明に係る上記目的は、下記構成により達成される。
（１）  サッシ枠と、該サッシ枠と対向配置される戸体の框、又は該框に装着された摺動部品とに、高摩擦係数材が取り付けられたことを特徴とする戸体の移動規制構造。
【０００７】
この戸体の移動規制構造によれば、戸体がサッシ枠開口部のいずれか一方側に移動されると、サッシ枠に設けられた高摩擦係数材と、戸体に設けられた高摩擦係数材とが接触し、接触摩擦により戸体に適度な摺動抵抗が生じる。つまり、戸体がサッシ枠に対し、解除可能な所定の固定力（初動が重くない）で係止可能となる。
【０００８】
（２）  （１）の戸体の移動規制構造であって、
前記サッシ枠が、サッシ上枠から垂下した上部レールを有し、
前記摺動部品は、前記上部レールを屋内側及び屋外側から挟み込む挟み込み部を有して前記戸体の上框に装着され、
前記上部レールと前記挟み込み部のそれぞれの対向面に、前記高摩擦係数材が取り付けられたことを特徴とする戸体の移動規制構造。
【０００９】
この戸体の移動規制構造によれば、戸体に装着された摺動部品が、上部レールを挟み込む挟み込み部を有し、その上部レールと挟み込み部の対向面に設けられた高摩擦係数材同士によって接触摩擦が生じる。挟み込み部と上部レールとの間には、摺動のための間隙が存在するので、その間隙を利用して高摩擦係数材の取り付けが可能となる。これにより、外れ止めを交換することによる高摩擦係数材の容易な取り付けが可能となる。
【００１０】
（３）  （１）又は（２）の戸体の移動規制構造であって、
前記戸体に設けられる戸体側高摩擦係数材が、戸体上下框の長手方向両端である四隅のうち少なくとも１箇所に配置され、
前記サッシ枠に取り付けられるサッシ枠側高摩擦係数材が、サッシ枠開口の少なくともいずれか一方の端に移動された前記戸体の前記戸体側高摩擦係数材に対向する位置に設けられたことを特徴とする戸体の移動規制構造。
【００１１】
この戸体の移動規制構造によれば、戸体がサッシ枠開口のいずれか一方の端に移動されると、戸体に設けられた戸体側高摩擦係数材が、サッシ枠のサッシ枠側高摩擦係数材に接触し、戸体が移動規制される。これにより、戸体に近接する側のガラス障子が開閉されたり、強風が当たったりしても、それに伴って戸体が移動しなくなる。また、固定力を効果的に生じさせる箇所（四隅）に高摩擦係数材を設けると、高摩擦係数材の量を減らしてコストを低減することができる。
【００１２】
（４）  （１）〜（３）のいずれか１つの戸体の移動規制構造であって、前記高摩擦係数材は、植毛摩擦材によって形成されることを特徴とする戸体の移動規制構造。
【００１３】
この戸体の移動規制構造によれば、樹脂材や複合材からなる摩擦材の摩擦係数に比べ、数倍の摩擦係数が長期に渡って得られ、サッシ枠に対する戸体の確実な移動規制が長期に渡って可能となる。また、雨などによる水濡れが生じても摩擦係数が低下しない。さらに、振動吸収性に富むことから、摺動音が殆ど発生せず、静粛な戸体の移動操作が可能となる。
【発明の効果】
【００１４】
本発明に係る戸体の移動規制構造によれば、サッシ枠と、このサッシ枠と対向配置される戸体の框、又は框に装着された摺動部品とに、高摩擦係数材を取り付けたので、サッシ枠に移動自在に設けられた戸体が、自身に設けられた高摩擦係数材と、サッシ枠側に設けられた高摩擦係数材とを接触させることで適度な摺動抵抗を生じさせ、サッシ枠に対し係止可能となる。この結果、簡素な構造で安価に戸体の移動が規制でき、使用者の意図しない移動の規制と、戸体の外れを防止できる。
【図面の簡単な説明】
【００１５】
【図１】本発明に係る網戸の移動規制構造を備えたサッシの正面図である。
【図２】図１に示したサッシの縦断面方向を示す説明図である。
【図３】図２に示した高摩擦係数材の側面図である。
【図４】（ａ）は図２に示したサッシ上枠の拡大図、（ｂ）は図２に示した網戸の拡大図である。
【図５】（ａ）は高摩擦係数材を直接施したサッシ上枠の拡大図、（ｂ）は高摩擦係数材を直接施した網戸の拡大図である。
【図６】高摩擦係数材のドライ状態と水没状態における摩擦係数と時間との相関を表したグラフである。
【図７】網戸の外れ止め取り付け部近傍の説明図である。
【図８】図７のＡ部拡大図である。
【図９】網戸のフレ止め取り付け部近傍の説明図である。
【図１０】図９の正面図である。
【図１１】図９に示したフレ止めの斜視図である。
【発明を実施するための形態】
【００１６】
以下、本発明に係る戸体の移動規制構造の好適な実施の形態について図面を参照して説明する。
図１は本発明に係る戸体である網戸の移動規制構造を備えたサッシの正面図である。
本発明に係る戸体の移動規制構造は、例えば網戸、サッシ、軽量引戸、可動ガラリ、雨戸などに好適に用いられる。本実施の形態では、戸体の移動規制構造が、網戸１１を備えたサッシ１３に適用される例を説明する。サッシ１３には外周を囲うサッシ枠１５が設けられ、サッシ枠１５はサッシ上枠１７、サッシ下枠１９、サッシたて枠２１，２３を有する。網戸１１は、網戸上下框２５，２７と、その両端同士を接続する一対のたて框２９，３１にて枠状に形成され、その内側に網３３が張られる。
【００１７】
図２は図１に示したサッシの縦断面方向を示す説明図である。
サッシ枠１５は、引き違いガラス障子３５，３７を開閉自在に取り付けている。網戸１１は、外側の障子３５よりも外側に位置するレールに防虫用として設けられる。サッシ枠１５と、このサッシ枠１５と対向配置される網戸上下框２５，２７とには、高摩擦係数材３９が取り付けられている。
【００１８】
サッシ枠１５は、サッシ上枠１７から垂下した網戸用上部レール４１を有する。網戸１１は、網戸上框２５の凹溝をこの網戸用上部レール４１に挿入することで、網戸用上部レール４１に沿って移動し、サッシ枠開口４３（図１参照）を開閉する。網戸側高摩擦係数材３９ａは、網戸上下框２５，２７の外側面に貼着される。
【００１９】
サッシ上枠１７とサッシ下枠１９には網戸上下框２５，２７の外側面に対向する長尺の枠板４５，４５が設けられ、枠板４５，４５は内面にサッシ枠側高摩擦係数材３９ｂを貼着している。網戸１１とサッシ枠１５には、枠板４５，４５と網戸上下框２５，２７に設けられたサッシ枠側高摩擦係数材３９ｂと網戸側高摩擦係数材３９ａの接触により、接触摩擦が生じるようになっている。
【００２０】
すなわち、網戸１１がサッシ枠開口４３のいずれか一方側に移動されると、サッシ枠１５に設けられたサッシ枠側高摩擦係数材３９ｂと、網戸１１に設けられた網戸側高摩擦係数材３９ａとが接触し、接触摩擦により網戸１１に適度な摺動抵抗が生じる。つまり、網戸１１がサッシ枠１５に対し、解除可能な所定の固定力で係止可能となる。
【００２１】
ここで、図１に示したように、網戸１１に設けられる網戸側高摩擦係数材３９ａは、網戸上下框２５，２７の長手方向両端である四隅に配置されている。また、サッシ枠１５に取り付けられるサッシ枠側高摩擦係数材３９ｂは、サッシ枠開口４３の少なくともいずれか一方の端に移動された網戸１１の網戸側高摩擦係数材３９ａに対向する位置に設けられている。本実施の形態において、サッシ枠側高摩擦係数材３９ｂは、図１に示したように、網戸１１がサッシ枠開口４３の一方側（右端側）と他方側（左端側）の双方に配置されたときに対向する位置で、上下三対設けられている。
【００２２】
これにより、網戸１１がサッシ枠開口４３のいずれか一方の端に移動されると、網戸１１に設けられた網戸側高摩擦係数材３９ａが、サッシ枠１５のサッシ枠側高摩擦係数材３９ｂに四隅で接触し、網戸１１が移動規制される。したがって、網戸１１に近接する側のガラス障子３５が開閉されたり、強風が当たったりしても、それに伴って網戸１１が移動しなくなる。また、固定力を効果的に生じさせる箇所（四隅）に高摩擦係数材３９を設けていることで、高摩擦係数材３９の量を減らしてコストを低減している。
なお、上記実施の形態では、網戸１１に設けられる網戸側高摩擦係数材３９ａは、網戸上下框２５，２７の長手方向両端である四隅に配置されるとしたが、本発明はこのような実施の形態に限定されるものではなく、例えば、四隅のうちの少なくとも１箇所に配置する、あるいは任意の複数箇所に配置して、網戸１１の移動規制を行うようにしてもよい。
【００２３】
図３は図２に示した高摩擦係数材の側面図である。
高摩擦係数材３９は、植毛摩擦材によって形成される。植毛摩擦材４７は、樹脂、或いは金属のプレート４９に、ポリエステルやナイロンなどの化学繊維、又は天然繊維からなる毛５１を、静電植毛して得る。静電植毛とはパイル（例えば、１．５デニールの直径で長さ０．６ｍｍの短毛のポリエステルやナイロンのような短繊維）を底に金網を張ったフルイに入れ、そのフルイとその短繊維を付着させるために接着剤を塗った部材（樹脂、金属）の間に高電圧（プラスかマイナスの２〜３万ボルト）を加え、２０ｃｍ程度の高さから部材に短繊維をまき散らして付着させる植毛法を言う。静電気を加えているので、短繊維は立った状態で付着する。
【００２４】
植毛摩擦材４７からなる高摩擦係数材３９は、樹脂材や複合材からなる従来の摩擦材の摩擦係数に比べ、数倍（４〜５倍程度）の摩擦係数（１．６〜２．１程度）を得ることができる。また、弾性復元力が多数の毛５１によって得られるのでヘタリ難く、サッシ枠１５に対する網戸１１の確実な移動規制が長期に渡って可能となる。
【００２５】
図４（ａ）は図２に示したサッシ上枠の拡大図、（ｂ）は図２に示した網戸の拡大図である。
本実施の形態では、サッシ枠１５の枠板４５，４５と、網戸１１の網戸上下框２５，２７に、植毛摩擦材４７のプレート４９が、接着剤、両面接着テープ、或いはビスにより固定されている。プレート４９に毛５１を植毛した植毛摩擦材４７を用いれば、既存のサッシ１３に、容易に高摩擦係数材３９を後付けすることができる。
【００２６】
図５（ａ）は高摩擦係数材を直接施したサッシ上枠の拡大図、（ｂ）は高摩擦係数材を直接施した網戸の拡大図である。
また、高摩擦係数材３９は、毛５１を所望箇所に直接静電植毛することもできる。すなわち、サッシ枠１５の枠板４５，４５と、網戸上下框２５，２７に、直接毛５１を静電植毛する。このような直接植毛によれば、プレート４９が不要となるので、より狭い間隙に高摩擦係数材３９を設けることができる。また、部品点数を減らしてコストを低減できる。
【００２７】
図６は高摩擦係数材のドライ状態と水没状態における摩擦係数と時間との相関を表したグラフである。
植毛摩擦材４７からなる高摩擦係数材３９同士の摩擦係数は、水没状態での摩擦係数が、ドライ状態での摩擦係数に比べ、大きく低下することがない。また、水没状態においても、一定の摩擦係数が持続的に得られる。したがって、雨などによる水濡れが生じても摩擦係数が低下しない。さらに、振動吸収性に富むことから、摺動音が殆ど発生せず、静粛な網戸の移動操作が可能となる。
【００２８】
次に、本発明に係る網戸の移動規制構造の第二の実施の形態を説明する。
図７は網戸の摺動部品である外れ止めの取り付け部近傍の説明図である。
網戸の移動規制構造は、網戸１１に外れ止め６１が設けられる構造においても好適に採用することができる。外れ止め６１は、サッシ枠１５と対向配置される網戸上框２５に装着される。外れ止め６１は、網戸用上部レール４１を屋内側及び屋外側から挟み込む挟み込み部６３を有して、網戸上框２５に装着される。
【００２９】
図８は図７のＡ部拡大図である。
網戸用上部レール４１と、挟み込み部６３のそれぞれの対向面には、上記植毛摩擦材４７からなる網戸側高摩擦係数材３９ａ、サッシ枠側高摩擦係数材３９ｂが取り付けられている。つまり、網戸用上部レール４１は、挟み込み部６３の対向面に設けられた一対の網戸側高摩擦係数材３９ａ，３９ａによって、両面に貼着したサッシ枠側高摩擦係数材３９ｂ，３９ｂを介して挟まれた状態となっている。
【００３０】
網戸１１に装着された外れ止め６１が、網戸用上部レール４１を挟み込む挟み込み部６３を有し、その網戸用上部レール４１と挟み込み部６３の対向面に設けられた網戸側高摩擦係数材３９ａ、サッシ枠側高摩擦係数材３９ｂ同士によって接触摩擦が生じる。挟み込み部６３と網戸用上部レール４１との間には、摺動のための間隙Ｋが存在するので、その間隙Ｋを利用して高摩擦係数材３９の取り付けが可能となる。これにより、外れ止め６１のみを交換することによる高摩擦係数材３９の容易な取り付けが可能となる。
【００３１】
なお、外れ止め６１に高摩擦係数材３９を設ける本実施の形態においても、上記したように、外れ止め６１の挟み込み部６３及び網戸用上部レール４１に直接静電植毛することができる。この構成では、サッシ１３の出荷前に、予め網戸側高摩擦係数材３９ａ及びサッシ枠側高摩擦係数材３９ｂを直接静電植毛してもよいが、外れ止め６１は、挟み込み部６３及び網戸用上部レール４１に静電植毛した交換パーツとし、網戸用上部レール４１には付属の網戸側高摩擦係数材３９ａを添付する交換キットとして後付用の製品を構成することもできる。
【００３２】
次に、本発明に係る網戸の移動規制構造の第三の実施の形態を説明する。
図９は網戸の摺動部品であるフレ止めの取り付け部近傍の説明図である。
網戸１１には、フレ止め７１を設けることができる。フレ止め７１は、網戸１１の製品出荷時に、或いは網戸１１に後付けにより設けることもできる。フレ止め７１には一対の平行な挟持板７３，７５が挟入間隙７７を有して立設され、フレ止め７１は挟入間隙７７に例えば枠板４５又は網戸用上部レール４１を挟むようにして取り付けられる。
【００３３】
図１０は図９の正面図である。
フレ止め７１は、例えば網戸１１のたて框３１の上端に取り付けられる。フレ止め７１の下部には嵌入部７９が設けられ、嵌入部７９をたて框３１の上端に嵌入して固定する。フレ止め７１は、一つの網戸１１に対して少なくとも一つ取り付けることによっても網戸の移動規制効果を得ることができる。サッシ枠側高摩擦係数材３９ｂは、網戸１１をサッシ枠開口４３の端に移動した時に、フレ止め７１の網戸側高摩擦係数材３９ａと一致させて枠板４５又は網戸用上部レール４１に固定する。
【００３４】
図１１は図９に示したフレ止めの斜視図である。
フレ止め７１を利用する場合の網戸の移動規制構造では、一方の挟持板７５と、網戸用上部レール４１の一方の側面に、網戸側高摩擦係数材３９ａとサッシ枠側高摩擦係数材３９ｂを設けることができる。サッシ枠側高摩擦係数材３９ｂは、上記したように、網戸１１をサッシ枠開口４３の端に移動した時に、網戸側高摩擦係数材３９ａと一致する位置で配置されている。したがって、網戸１１がサッシ枠開口４３の端に移動した時のみに移動規制効果を発揮させる。サッシ枠側高摩擦係数材３９ｂの設けられていない網戸用上部レール４１には、フレ止め７１に設けられた網戸側高摩擦係数材３９ａのみが接触することとなり、移動時における網戸１１の振れを規制することができる。
【００３５】
上記構成の網戸の移動規制構造によれば、サッシ枠１５と、このサッシ枠１５と対向配置される網戸１１の網戸上下框２５，２７、又はたて框２９，３１に装着された外れ止め６１又はフレ止め７１とに、高摩擦係数材３９を取り付けたので、サッシ枠１５に移動自在に設けられた網戸１１が、自身に設けられた網戸側高摩擦係数材３９ａと、サッシ枠１５側に設けられたサッシ枠側高摩擦係数材３９ｂとを接触させることで適度な摺動抵抗を生じさせ、サッシ枠１５に対し係止可能となる。この結果、簡素な構造で安価に網戸１１の使用者の意図しない移動が規制でき、勝手な移動による網戸１１の外れを防止することができる。
【符号の説明】
【００３６】
１１  網戸
１５  サッシ枠
１７  サッシ上枠
２５，２７  網戸上下框
３９  高摩擦係数材
３９ａ  網戸側高摩擦係数材
３９ｂ  サッシ枠側高摩擦係数材
４１  網戸用上部レール
４３  サッシ枠開口
４７  植毛摩擦材
６１  外れ止め
６３  挟み込み部
【図１】
2010163810.tif 000003
【図２】
2010163810.tif 000004
【図３】
2010163810.tif 000005
【図４】
2010163810.tif 000006
【図５】
2010163810.tif 000007
【図６】
2010163810.tif 000008
【図７】
2010163810.tif 000009
【図８】
2010163810.tif 000010
【図９】
2010163810.tif 000011
【図１０】
2010163810.tif 000012
【図１１】
2010163810.tif 000013